(57)【要約】  【課題】部品種類の増加を可及的に抑えつつ、遊技機の配置レイアウトの自由度を向上させることが可能な遊技機設置用島設備を提供する。  【解決手段】複数のフレーム部材を連結して箱型に形成され、一面側と他面側にそれぞれ遊技機としてのパチスロ機３を遊技島１の長手方向に沿って複数並設可能な遊技島（遊技機設置用島設備）であって、フレーム部材は、遊技島の一面側と他面側にそれぞれ島長手方向に沿って間隔を空けて複数配設される縦方向の内部フレーム５を含み、各内部フレームの下端部には、設置部分に固定するための固定用金具２２を配設し、内部フレームのうち、遊技島の一面側に配置される内部フレームを、固定用金具の一片が突出する側の面を遊技島の一端側に向けた姿勢で設置する一方、遊技島の他面側に配置される内部フレームを、固定用金具の一片が突出する側の面を遊技島の他端側に向けた姿勢で設置した。【選択図】図３
2008289532.tif 000002
【特許請求の範囲】
【請求項１】
複数のフレーム部材を連結して箱型に形成され、一面側と他面側にそれぞれ遊技機を島設備の長手方向に沿って複数並設可能な遊技機設置用島設備であって、
前記フレーム部材は、島設備の一面側と他面側にそれぞれ島設備長手方向に沿って間隔を空けて複数配設される内部フレームを含み、
前記各内部フレームの下端部には、設置部分に固定するための固定部を配設し、
前記内部フレームのうち、島設備の一面側に配置される内部フレームを、前記固定部が突出する側の面を島設備の一端側に向けた姿勢で設置する一方、島設備の他面側に配置される内部フレームを、前記固定部が突出する側の面を島設備の他端側に向けた姿勢で設置したことを特徴とする遊技機設置用島設備。
【請求項２】
前記フレーム部材を被覆するための被覆板と、該被覆板の遊技者側となる一方の面とは反対側の他方の面に突設され、前記フレーム部材に取り付けられる取付部と、からなる側部装飾部材を設け、
前記内部フレームには、遊技者側の一部を奥行方向の途中まで切り欠いて前記側部装飾部材の取付部が嵌合可能な嵌合部を形成し、
島設備の一面側に配置される内部フレームと、島設備の他面側に配置される内部フレームと、を各々の嵌合部が遊技者側を向く姿勢で配設したことを特徴とする請求項１に記載の遊技機設置用島設備。
【請求項３】
前記フレーム部材は、島設備における長手方向の両端に設置され、該島設備の一面側と他面側とを連続する端部フレームを含み、
前記端部フレームの下端部には、島設備を設置部分に固定するための固定部を配設し、
前記端部フレームを、前記固定部が突出する側の面を島設備の内側に向けた姿勢で島設備の両端にそれぞれ設置し、
前記端部フレームの他側の面には、該端部フレームを被覆する妻板を取り付けたことを特徴とする請求項２に記載の遊技機設置用島設備。
【請求項４】
島設備の長手方向に隣り合うフレーム部材同士を連結する梁部材を有し、
前記梁部材は、
前記フレーム部材の上部で該フレーム部材と接合される上梁と、
前記フレーム部材の下部で該フレーム部材と接合される下梁と、
からなり、
前記上梁と前記下梁との間の空部を遊技機設置空部とし、
前記側部装飾部材を、前記フレーム部材と梁部材とに跨って固定したことを特徴とする請求項３に記載の遊技機設置用島設備。
【請求項５】
島設備の一面側に配置される各遊技機と、これらの各遊技機に背向して配置される他面側の各遊技機との島設備長手方向の位置が夫々揃うように、前記フレーム部材の配設間隔を設定したことを特徴とする請求項１から４の何れか一項に記載の遊技機設置用島設備。
【発明の詳細な説明】
【技術分野】
【０００１】
本発明は、複数のフレーム部材を組み付けて箱型に形成され、その一面側と他面側に遊技機を島設備の長手方向に沿って複数並設する遊技機設置用島設備に関する。
【背景技術】
【０００２】
遊技店において、遊技媒体としてメダルを使用する所謂パチスロ機（遊技機の一種）は、遊技島（あるいは遊技機設置用島設備）と呼ばれる設備に複数設置される。そして、この種の遊技島は、複数のフレーム部材を枠組みすることで箱型に形成され、島の両面（一面と他面）または片面にそれぞれ遊技機を島の長手方向に沿って複数並設するように構成されている（例えば、特許文献１参照）。この特許文献１に開示されている遊技島では、従来機器設置スペースに配置していたフレーム部材の一種である中段支柱（内部フレーム）を、複数の隣り合う遊技機設置スペースの間に形成された間仕切りスペースに配置して、島設備全体の大きさを拡大することなく中段支柱が遊技機設置時の支障にならないようにしている。
【０００３】
【特許文献１】特開２００４−２０２０３１号公報（図１、図２、図５等）
【発明の開示】
【発明が解決しようとする課題】
【０００４】
ところで、上記の遊技島では、島の一面側の各中段支柱と他面側の各中段支柱とは、島長手方向の位置が夫々揃うように配置されている。そして、これらの支柱で仕切られるスペースには、遊技機とメダル貸機（所謂メダルサンド）とを隣り合わせで対にして、一般的には、メダル貸機が遊技機に向かって右隣に位置する状態で設置される。このため、上記の遊技島では（特許文献１の図５参照）、一面側の遊技機と、これに背向する他面側の遊技機とは、島長手方向の位置がずれた状態で配置されていた。つまり、上記の遊技島では、一面側の各中段支柱と他面側の各中段支柱とが島長手方向の位置を揃えた状態で配置されているので、島の一面側に配置される各遊技機と、これらの各遊技機に背向して配置される他面側の各遊技機との島長手方向の位置が夫々揃うようなレイアウトを採ることが難しかった。このような場合、当該遊技島を複数並設する遊技店では、隣り合う遊技島間で向かい合う遊技機同士の島長手方向の位置が揃わなかった。その結果、各遊技機に対応して設置される遊技者用の椅子の位置も遊技島間で揃わず、遊技島間の通路の美観を損ねていた。
【０００５】
このようなことから、島の一面側に配置される各遊技機と他面側の各遊技機との島長手方向の位置を揃えるべく、遊技島を構成するフレーム部材の配置レイアウト等を変更することが考えられるが、部品種類が増加することにより部品管理や設置及び組立ての面で効率が低下する虞があった。
【０００６】
本発明は、上記の事情に鑑みて創案されたものであり、その目的は、部品種類の増加を可及的に抑えつつ、遊技機の配置レイアウトの自由度を向上させることが可能な遊技機設置用島設備を提供することにある。
【課題を解決するための手段】
【０００７】
本発明は上記目的を達成するために提案されたもので、請求項１に記載のものは、複数のフレーム部材を連結して箱型に形成され、一面側と他面側にそれぞれ遊技機を島設備の長手方向に沿って複数並設可能な遊技機設置用島設備であって、
前記フレーム部材は、島設備の一面側と他面側にそれぞれ島設備長手方向に沿って間隔を空けて複数配設される内部フレームを含み、
前記各内部フレームの下端部には、設置部分に固定するための固定部を配設し、
前記内部フレームのうち、島設備の一面側に配置される内部フレームを、前記固定部が突出する側の面を島設備の一端側に向けた姿勢で設置する一方、島設備の他面側に配置される内部フレームを、前記固定部が突出する側の面を島設備の他端側に向けた姿勢で設置したことを特徴とする遊技機設置用島設備である。
【０００８】
請求項２に記載のものは、前記フレーム部材を被覆するための被覆板と、該被覆板の遊技者側となる一方の面とは反対側の他方の面に突設され、前記フレーム部材に取り付けられる取付部と、からなる側部装飾部材を設け、
前記内部フレームには、遊技者側の一部を奥行方向の途中まで切り欠いて前記側部装飾部材の取付部が嵌合可能な嵌合部を形成し、
島設備の一面側に配置される内部フレームと、島設備の他面側に配置される内部フレームと、を各々の嵌合部が遊技者側を向く姿勢で配設したことを特徴とする請求項１に記載の遊技機設置用島設備である。
【０００９】
請求項３に記載のものは、前記フレーム部材は、島設備における長手方向の両端に設置され、該島設備の一面側と他面側とを連続する端部フレームを含み、
前記端部フレームの下端部には、島設備を設置部分に固定するための固定部を配設し、
前記端部フレームを、前記固定部が突出する側の面を島設備の内側に向けた姿勢で島設備の両端にそれぞれ設置し、
前記端部フレームの他側の面には、該端部フレームを被覆する妻板を取り付けたことを特徴とする請求項２に記載の遊技機設置用島設備である。
【００１０】
請求項４に記載のものは、島設備の長手方向に隣り合うフレーム部材同士を連結する梁部材を有し、
前記梁部材は、
前記フレーム部材の上部で該フレーム部材と接合される上梁と、
前記フレーム部材の下部で該フレーム部材と接合される下梁と、
からなり、
前記上梁と前記下梁との間の空部を遊技機設置空部とし、
前記側部装飾部材を、前記フレーム部材と梁部材とに跨って固定したことを特徴とする請求項３に記載の遊技機設置用島設備である。
【００１１】
請求項５に記載のものは、島設備の一面側に配置される各遊技機と、これらの各遊技機に背向して配置される他面側の各遊技機との島設備長手方向の位置が夫々揃うように、前記フレーム部材の配設間隔を設定したことを特徴とする請求項１から４の何れか一項に記載の遊技機設置用島設備である。
【発明の効果】
【００１２】
本発明の遊技機設置用島設備によれば、以下のような優れた効果を奏する。
即ち、フレーム部材は、島設備の一面側と他面側にそれぞれ島設備長手方向に沿って間隔を空けて複数配設される内部フレームを含み、内部フレームの一方の面には、島設備を設置部分に固定するための固定部を配設し、内部フレームのうち、島設備の一面側に配置される内部フレームを、固定部が配設された一方の面を島設備の一端側に向けた姿勢で設置する一方、島設備の他面側に配置される内部フレームを、固定部が配設された一方の面を島設備の他端側に向けた姿勢で設置したので、島設備の一面側に配置される内部フレームと島設備の他面側に配置される内部フレームとを同種部品で構成することができ、これにより、内部フレームの部品種類を増やすことなく遊技機の配置レイアウトの自由度を向上させることができる。
【００１３】
また、フレーム部材を被覆するための被覆板と、該被覆板の遊技者側となる一方の面とは反対側の他方の面に突設され、フレーム部材に取り付けられる取付部とからなる側部装飾部材を設け、内部フレームには、遊技者側の一部を奥行方向の途中まで切り欠いて側部装飾部材の取付部が嵌合可能な嵌合部を形成し、島設備の一面側に配置される内部フレームと、島設備の他面側に配置される内部フレームと、を各々の嵌合部が遊技者側を向く姿勢で配設したので、島設備の一面側に配置される内部フレームと島設備の他面側に配置される内部フレームとを同種部品で構成することができ、これにより、内部フレームの部品種類を増やすことなく遊技機の配置レイアウトの自由度を向上させることができる。
【００１４】
さらに、フレーム部材は、島設備における長手方向の両端に設置され、該島設備の一面側と他面側とを連続する端部フレームを含み、端部フレームの下端部には、島設備を設置部分に固定するための固定部を配設し、端部フレームを、固定部が突出する側の面を島設備の内側に向けた姿勢で島設備の両端にそれぞれ設置したので、島設備の両端面を成す端部フレームの構成を変更することなく内部フレームの配置間隔を適宜変更することで種々の遊技機の配置レイアウトに対応することができる。また、端部フレームは、固定部が島設備の内側を向く姿勢で配設されているので、この固定部が端部フレームに妻板を取り付ける際の妨げになることを防止することができる。
【００１５】
また、島設備の長手方向に隣り合うフレーム部材同士を連結する梁部材を、フレーム部材の上部で該フレーム部材と接合される上梁と、フレーム部材の下部で該フレーム部材と接合される下梁とから構成し、上梁と下梁との間の空部を遊技機設置空部とし、側部装飾部材を、フレーム部材と梁部材とに跨って固定したので、一旦取り付けられた側部装飾部材を容易に取り外し難くすることができる。その結果、側部装飾部材を取り外すことで遊技機に対して不正行為が行われることを未然に防止することが可能となる。
【００１６】
そして、島設備の一面側に配置される各遊技機と、これらの各遊技機に背向して配置される他面側の各遊技機との島設備長手方向の位置が夫々揃うように、フレーム部材の配設間隔を設定したので、遊技場などで複数の島設備を並設した場合に、各遊技機に対応して配置される遊技者用の椅子の島長手方向位置を島設備同士の間で揃えることができ、これにより、遊技島間の通路の美観を確保することができる。
【発明を実施するための最良の形態】
【００１７】
以下、本発明を実施するための最良の形態を図面に基づいて説明する。
図１は遊技島（遊技機設置用島設備）の概略斜視図、図２は２つの遊技島を遊技場等に並設した状態を示す平面図、図３は遊技島の骨格の構成を説明する斜視図である。また、図４はフレーム部材の配置関係を説明する平面図、図５はフレーム部材と梁部材を組み付ける様子を説明する斜視図である。なお、図１においては、左奥側から右手前側へ向かうほど順に１つずつ構成部材を取り外して内部構成を露出させた状態としている。また、以下の説明では、便宜上、図１、３、及び５における左手前側の面、図２及び４における下側の面を遊技島の一面とする。さらに、以下の説明において、縦方向又は横方向の基準は遊技島１の設置部分（床面）とする。
【００１８】
これらの図に示すように、本実施形態の遊技島１は、複数のフレーム部材を連結して箱型に形成された島本体に遊技媒体としてメダルを使用する遊技機の一種であるパチスロ機３と、これに対として設けられるメダル貸機７との組を一面側と他面側に島設備の長手方向に沿って複数（本実施形態においては両面にそれぞれ５組ずつ、計１０組）並設可能な島設備である。この遊技島１を形成するためのフレーム部材は、島設備における長手方向の両端に設置される端部フレーム４と、この端部フレーム４同士の間に配置される内部フレーム５とにより構成される。そして、これらのフレーム部材を、梁部材によって連結することで遊技島１の骨格が形成される。なお、図示しないが、この遊技島１の内部には、複数のパチスロ機３からオーバーフローしたメダルを受けるメダル受部や、このメダル受部に受けたメダルを循環させてパチスロ機３やメダル貸機７の補給要求に応じて供給するメダル循環機構等も配置される。
【００１９】
図６は、端部フレーム４の構成を説明する正面図である。この端部フレーム４は、例えばベニヤ合板等の木製の板材により作製され、遊技島の両端面として該遊技島の一面と他面を連続する縦長なフレーム部材である。この端部フレーム４の縦方向の寸法によって、遊技島１全体の高さが規定される。この端部フレーム４には、横方向の両側（両長辺）の一部をそれぞれ横幅方向の途中まで縦長な矩形状に切り欠いて、後述する側部装飾部材３２の取付部３２ｂが嵌合可能な嵌合部８を形成している。また、端部フレーム４における嵌合部８よりも上側の部分は、後述する上梁２７が接合される上部接合部９としている。さらに、端部フレーム４の嵌合部８の形成部分よりも下側の部分には、二股に分岐した脚部１０を形成している。この端部フレーム４の脚部１０は、後述する下梁２８が接合される下部接合部１１としても機能する。
【００２０】
上記端部フレーム４の各脚部１０の下端部には、当該端部フレーム４を、ひいてはユニット化された遊技島１を遊技場等の設置部分に固定するための固定用金具１３（本発明における固定部の一種）をそれぞれ１つずつ配設している。この固定用金具１３は側方視Ｌ字状のアングル材から構成されており、互いに直交する二片のうちの一片が端部フレーム４の一面側に対して略垂直に突出する姿勢で、他片を脚部１０にネジ留め等によって止着している。この固定用金具１３の一片には、その厚さ方向を貫通する状態でアンカーボルト１４が取り付けられている。このアンカーボルト１４には、固定用金具１３の一片を上下から挟み込む状態で１対のダブルナット１５ａ，１５ｂが螺着され、また、このアンカーボルト１４におけるダブルナット１５ｂよりも下側には、設置部分に突き当てられる当接プレート１６が取り付けられている。このアンカーボルト１４を遊技場の床等の設置部分に埋設されたナットの雌ねじ部（図示せず）に螺合させて当接プレート１６を設置部分に当接させることにより、端部フレーム４が設置部分に据え付けられる。そして、ダブルナット１５ａ，１５ｂを螺動させることによって端部フレーム４の全体を上下することができ、これにより端部フレーム４の設置部分からの取付高さ及び水平を調節することが可能となっている。
【００２１】
そして、図４に示すように、上記構成の端部フレーム４を、固定用金具１３の一片が突出する側の面を遊技島１の内側に向けた姿勢で遊技島１の両端にそれぞれ設置する。即ち、各端部フレーム４は、固定用金具１３の一片が突出する側の面を互いに向き合わせた姿勢で遊技島１の両端にそれぞれ設置される。
【００２２】
図７は、内部フレーム５の構成を説明する正面図であり、同図において右側の内部フレーム５は、一面側を手前に向けた状態、同図において左側の内部フレーム５は、他面側を手前を向けた状態となっている。即ち、同図における左右の内部フレーム５は、互いに表裏逆となる状態で示されている。この内部フレーム５は、上記端部フレーム４と同様に木製の板材（例えば、ベニヤ合板）により作製され、島設備の一面側と他面側にそれぞれ島設備長手方向に沿って間隔を空けて複数配設される縦方向のフレーム部材である。この内部フレーム５は、縦方向の寸法を端部フレーム４の縦方向の寸法と揃える一方、内部フレーム５の幅方向（横方向）の寸法を、端部フレーム４の幅方向の寸法の半分程度もしくは半分よりも若干短く設定している。
【００２３】
この内部フレーム５には、一側の長辺（遊技島１において遊技者側となる方の長辺）の一部を横幅方向（遊技者側から見て奥行き方向）の途中まで縦長な矩形状に切り欠いて、側部装飾部材３２の取付部３２ｂが嵌合可能な嵌合部１８を形成し、この嵌合部１８よりも上側の部分は上梁２７が接合される上部接合部１９としている。さらに、内部フレーム５の嵌合部１８よりも下側の部分は、下部接合部２０としても機能する脚部２１となっている。
【００２４】
上記内部フレーム５の下端部（即ち、脚部２１の下端部）には、上記端部フレーム４と同様に固定用金具２２を固定部として配設している。この固定用金具２２は、端部フレーム４に設けられている固定用金具１３の横幅よりも大きい幅のアングル材から構成され、一片が内部フレーム５の一面に対して略垂直に突出する姿勢で、他片を脚部２１にネジ留め等によって止着している。そして、固定用金具２２の一片には、２本のアンカーボルト２３が取り付けられている。各アンカーボルト２３には、固定用金具１３の一片を上下から挟み込む状態で１対のダブルナット２４ａ，２４ｂがそれぞれ螺着され、また、各アンカーボルト２３におけるダブルナット２４よりも下側には、当接プレート２５が両アンカーボルト２３に跨って取り付けられている。このアンカーボルト２３を遊技場の床等の設置部分に埋設されたナットの雌ねじ部に螺合させて当接プレート２５を設置部分に当接させることにより、内部フレーム５が設置部分に据え付けられる。そして、ダブルナット２４ａ，２４ｂを螺動させることによって内部フレーム５の全体を上下することができ、これにより、内部フレーム５の設置部分からの取付高さ及び水平を調節することが可能となっている。即ち、上記端部フレーム４と内部フレーム５の高さをそれぞれ調節することで、遊技島１全体の設置部分からの取付高さや水平度を所望に設定することができる。
【００２５】
上記内部フレーム５は、遊技島１の両端にそれぞれ配置される端部フレーム４同士の間に、所定の間隔を空けて配置される。本実施形態においては、図１〜４に示すように、遊技島１の一面側と他面側にそれぞれ島設備長手方向に沿って内部フレーム５を２つずつ、合計４つ配設している。これらの内部フレーム５のうち、遊技島１の一面側に配置される内部フレーム５を、固定用金具２２の一片が突出する側の面を島設備の一端側（図４において右側）に向けた姿勢で設置する一方、遊技島１の他面側に配置される内部フレーム５を、固定用金具２２の一片が突出する側の面を遊技島１の他端側（図４において左側）に向けた姿勢で設置している。換言すると、遊技島１の一面側に配置される内部フレーム５と、遊技島１の他面側に配置される内部フレーム５とを、各々の嵌合部１８が互いに反対側を向く姿勢（嵌合部１８が遊技者側となる姿勢）で配設している。
【００２６】
図４に示すように、各フレーム部材が相互に位置決めされた状態では、遊技島１の一面側と他面側とのそれぞれにおいて、端部フレーム４における固定用金具１３のアンカーボルト１４と、内部フレーム５における固定用金具２２のアンカーボルト２３（同一の固定用金具２２に設けられた２つのアンカーボルト２３のうちの外側に位置する方）が、一直線上に配置されるようになっている。このようにすることで、各フレーム部材の位置決めを容易にすることができる。
【００２７】
そして、図１〜３及び５に示すように、これらの内部フレーム５同士または端部フレーム４と内部フレーム５とは、梁部材によって連結される。この梁部材は、端部フレーム４の上部接合部９又は内部フレーム５の上部接合部１９に接合される上梁２７と、端部フレーム４の下部接合部１１又は内部フレーム５の下部接合部２０に接合される下梁２８とにより構成される。
【００２８】
これらの梁部材（上梁２７，下梁２８）は、複数の板材を組み合わせて正面視で横長な矩形状に形成された枠体であり、その長手方向の寸法は各フレーム部材間の間隔を規定する。本実施形態においては、端部フレーム４と内部フレーム５を連結するための梁部材（上梁２７ａ、上梁２７ｂ、下梁２８ａ、及び下梁２８ｂ）と、内部フレーム５同士を連結するための梁部材（上梁２７ｃ及び下梁２８ｃ）とに大別される。また、これらの梁部材の寸法に関し、上梁２７ｃ及び下梁２８ｃの長手方向の寸法は、これらの間に２組のパチスロ機３とメダル貸機７（以下、遊技ユニットという。）を設置可能な長さに設定されている。また、上梁２７ａ及び下梁２８ａの長手方向の寸法は、１組の遊技ユニットを設置可能な長さよりも少し長く設定されている。そして、上梁２７ｂ及び下梁２８ｂの長手方向の寸法は、２組の遊技ユニットを設置可能な長さよりも若干長く設定されている。
【００２９】
このようにして各フレーム部材と梁部材とを組み付けることによって遊技島１の骨格が形成される。そして、上梁２７と下梁２８との間に形成される空部が、遊技ユニットを設置するための遊技機設置空部となる。図１に示すように、各梁部材の遊技者側の面には、その全面を被覆可能な（詳しくは、梁部材の当該面よりも若干大きい寸法に設定された）化粧板２９を幕板としてそれぞれ取り付け、これにより遊技島１の骨格や内部機器が外側から見えないようにすると共に遊技島１を装飾している。また、下梁２８の上端面には、棚板３０を、その載置面が遊技島１の設置面と略平行となる状態で取り付け、この棚板３０上に遊技ユニットを設置するようにしている。さらに、固定用金具２２の一片が突出する側とは反対側の端部フレーム４の他側面には、該端部フレーム４よりも大きい矩形状の木製の板材からなる妻板３１を取り付け、この妻板３１によって端部フレーム４を被覆している。したがって、遊技機１の全ての構成部品を取り付けた完成状態では、各フレーム部材と梁部材は遊技島１の外側から視認することができないようになっている。
【００３０】
各組の遊技ユニットは、遊技島長手方向に隣り合う機器との間、即ち、隣り合う遊技ユニットの一方の組のパチスロ機３と他方の組のメダル貸機７との間に、僅かに隙間を空けた状態で遊技機設置空部に配置される。この隙間は、パチスロ機３の前面扉が開閉時に隣のメダル貸機７と接触してしまうことを防止するために設けられている。また、パチスロ機３の前面扉が開閉時に端部フレーム４と接触してしまうことを防止するため、さらにパチスロ機３の配置レイアウトとの関係上、端部フレーム４と、この端部フレーム４の隣に位置する遊技ユニットとの間にも同様な隙間が形成される。そして、図３、図８、及び図９に示すように、これらの隙間が外側から見えないようにするために、側部装飾部材３２を設けている。この側部装飾部材３２は、フレーム部材を被覆すると共に上記隙間を覆い隠すための被覆板３２ａと、この被覆板３２ａの遊技者側となる一方の面とは反対側の他方の面に突設される取付板３２ｂ（本発明における取付部に相当）とにより平面視Ｔ字状又はＬ字状に組み合わせられた部材である。なお、Ｌ字状に組み合わされた側部装飾部材３２（図示せず）は、端部フレーム４の嵌合部８に取り付けられるものであり、Ｔ字状に組み合わされた側部装飾部材３２は、内部フレーム５の嵌合部１８に取り付けられるものである。
【００３１】
被覆板３２ａの縦方向の寸法は、棚板３０上面から上梁２７の下面までの寸法に揃えられており、被覆板３２ａの横方向の寸法は、上記の隙間の幅に揃えられている。また、取付板３２ｂは、端部フレーム４の嵌合部８又は内部フレーム５の嵌合部１８に嵌め込まれる部分であり、その横幅の寸法は嵌合部８，１８の奥行き方向の寸法と同寸又は嵌合部８，１８の奥行き方向の寸法よりも若干小さく設定されている。そして、取付板３２ｂを嵌合部８又は内部フレーム５の嵌合部１８に嵌め込むと、図８に示すように、被覆板３２ａの遊技者側となる一方の面と上記の化粧板２９の表面とが同一面に揃うようになっている。このように、取付板３２ｂを嵌合部８又は内部フレーム５の嵌合部１８に嵌め込むように構成することで、遊技島１全体の幅方向の寸法を拡大することなく側部装飾部材３２を取り付けることができる。
【００３２】
また、上記側部装飾部材３２は、図９に示すように、フレーム部材と、これに接続される梁部材とに跨って固定されるようになっている。つまり、側部装飾部材３２は、取付板３２ｂを嵌合部８又は嵌合部１８に嵌め込んだ状態で、釘や螺旋などの止着部材を用いて或いは接着剤などを用いてフレーム部材と梁部材とに強固に固定される。これにより、遊技島１に一旦取り付けられた側部装飾部材３２を容易に取り外し難くすることができる。その結果、側部装飾部材３２を取り外して遊技機に対して不正行為が行われることを未然に防止することが可能となる。
【００３３】
図１、図１０、及び図１１に示すように、遊技島１の上面には蓋部材３３が着脱可能に取り付けられる。この蓋部材３３は、遊技島１の上部開口を被覆するための天板３４と、この天板３４の上面に設けられた取手部３５とにより概略構成されている。上記の天板３４には、遊技島１内部の熱を外部に放出するための放熱穴３６が複数開設されている。取手部３５は、天板３４の両短辺の中央部分に対して起立状態で取り付けられる２本の支柱３７と、これらの支柱３７の上端部同士を繋ぐ上桟３８と、この上桟３８と天板３４との間に設けられて支柱同士を繋ぐ下桟３９とにより略門型に形成されており、取手部３５の長尺方向と天板３４の長尺方向とが一致する姿勢で天板３４に設けられている。
【００３４】
この取手部３５の長尺方向の寸法は、天板３４の長尺方向の寸法に揃えられており、また、取手部３５の高さは、後述するメダル箱４０の高さよりも高く設定されている。さらに、上桟３８と下桟３９との間の間隔、及び、下桟３９と天板３４との間の間隔は、これらの隙間にメダル箱４０を通すことができないような寸法に設定されている。この取手部３５は、メンテナンス時などで蓋部材３３を取り外す際に、メンテナンスを行う者が把持することがことができるようになっている。そして、蓋部材３３は、図１に示すように、取手部３５の長手方向が遊技島１の長手方向に沿う状態で遊技島１の上面に取り付けられる。したがって、この取り付け状態では、取手部３５は遊技島１の一面側と他面側との境界に対応する位置に配置される。
【００３５】
上記の蓋部材３３の天板３４は、遊技島１の上部開口を被覆する他、図１１に示すように、メダル箱４０を置くための箱置き棚としても機能する。この天板３４において、取手部３５を境として該取手部３５よりも一側（図１１において左側）には、遊技島１の一面側のパチスロ機３で遊技中の遊技者がメダル箱４０を置くことが可能であり、取手部３５を境として該取手部３５よりも他側（図１１において右側）には、遊技島１の他面側のパチスロ機３で遊技中の遊技者がメダル箱４０を置くことが可能となっている。そして、上記取手部３５は、メダル箱４０の盗難防止柵としても機能する。即ち、本実施形態における取手部３５は、メダル箱４０の高さよりも高く設定し、また、上桟３８と天板３４との間の隙間にメダル箱４０を通すことができないよう下桟３９を設けているので、例えば、天板３４の一側に載置されたメダル箱４０を、取手部３５を挟んで反対側（他側）から悪意のある者が盗み取ろうとしてもこの取手部３５が障壁となり、このような盗難を未然に防止することができる。
【００３６】
上記のように構成された遊技島１では、該遊技島１の一面側に配置される各パチスロ機３と、これらの各パチスロ機３に背向して配置される他面側の各パチスロ機３との遊技島長手方向の位置が夫々揃うようなレイアウトができるように、各フレーム部材の配設間隔及び各梁部材の寸法を設定している。これにより、図２に示すように、遊技場などで複数の遊技島１を並設した場合に、各パチスロ機３に対応して配置される遊技者用の椅子４２の位置も遊技島同士の間で整然と揃うので、遊技島間の通路の美観を確保することができる。
【００３７】
なお、本実施形態においては、遊技ユニットの組を一面側と他面側に島設備の長手方向に沿ってそれぞれ５組ずつ、計１０組並設した構成を例示したが、これには限られない。遊技ユニットの配置数を増減させる場合には、増減させる数に応じて内部フレーム５、上梁２７ｃ、下梁２８ｃを増減させることで対応することが可能である。即ち、例えば、遊技ユニットの組を一面側と他面側に島設備の長手方向に沿ってそれぞれ７組ずつ、計１４組並設するレイアウトを採用する場合には、遊技島１の一面側と他面側にそれぞれ内部フレーム５、上梁２７ｃ、下梁２８ｃを１つずつ追加することで対応可能である。
【００３８】
また、上記のようにパチスロ機３の配置レイアウトの自由度を向上させつつも、遊技島１を構成する部品種類の増加を可及的に抑えている。即ち、遊技島１の一面側に配置される内部フレーム５と他面側に配置される内部フレーム５を同種部品で構成し、一面側に配置される内部フレーム５を、固定用金具２２の一片が突出する側の面を遊技島１の一端側に向けた姿勢で設置する一方、他面側に配置される内部フレーム５を、固定用金具２２の一片が突出する側の面を遊技島１の他端側に向けた姿勢で設置するように構成したので、換言すると、一面側に配置される内部フレーム５と、他面側に配置される内部フレーム５とを、各々の嵌合部１８が互いに反対側（遊技者側）を向く姿勢で配設するように構成したので、内部フレーム５の部品種類を増やすことなく、パチスロ機３の配置レイアウトに応じて内部フレーム５の配置間隔を設定するように構成することで、遊技島１におけるパチスロ機３の配置レイアウトの自由度を向上させることができる。即ち、本実施形態のように、一面側の各パチスロ機３と他面側の各パチスロ機３との遊技島長手方向の位置が夫々揃うようなレイアウトの他に、従来のように一面側の各パチスロ機３と他面側の各パチスロ機３との遊技島長手方向の位置が異なる（即ち、千鳥状に配置される）レイアウトを採用することもできる。
【００３９】
さらに、上記遊技島１では、島設備の両端面を成す端部フレームの構成を変更することなく内部フレームの配置間隔を遊技機の配置レイアウトに応じて適宜変更することで種々の遊技機の配置レイアウトに対応することができる。
また、端部フレーム４は、固定用金具１３が遊技島１の内側を向く姿勢で配設されているので、この固定用金具１３が端部フレーム４に妻板３１を取り付ける際の妨げになることを防止することができる。
【００４０】
なお、上記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４１】
【図１】遊技島の概略斜視図である。
【図２】２つの遊技島を遊技場等に並設した状態を示す平面図である。
【図３】遊技島の骨格の構成を説明する斜視図である。
【図４】フレーム部材の配置関係を説明する平面図である。
【図５】フレーム部材と梁部材を組み付ける様子を説明する斜視図である。
【図６】端部フレームの構成を説明する正面図である。
【図７】内部フレーム５の構成を説明する正面図である。
【図８】図２におけるＡ−Ａ断面図である。
【図９】図２におけるＢ−Ｂ断面図である。
【図１０】蓋部材の構成を説明する斜視図である。
【図１１】蓋部材の構成を説明する断面図である。
【符号の説明】
【００４２】
１  遊技島
４  端部フレーム
５  内部フレーム
８  嵌合部
１３  固定用金具
１８  嵌合部
２２  固定用金具
２７  上梁
２８  下梁
３１  妻板
３２  側部装飾部材
【図１】
2008289532.tif 000003
【図２】
2008289532.tif 000004
【図３】
2008289532.tif 000005
【図４】
2008289532.tif 000006
【図５】
2008289532.tif 000007
【図６】
2008289532.tif 000008
【図７】
2008289532.tif 000009
【図８】
2008289532.tif 000010
【図９】
2008289532.tif 000011
【図１０】
2008289532.tif 000012
【図１１】
2008289532.tif 000013